(57)【要約】【課題】利用者による暗証番号の入力の際に周囲の第三者による利用者の入力キーの押圧動作に基づいて察知されない機能を備えつつ、操作時間の取引時間を短くすることが可能なＡＴＭを提供する。【課題手段】タッチパネル方式の入力表示装置を備えたＡＴＭであって、暗証番号の入力表示画面において、利用者に対して通常の数字入力配置表示とは異なるパターンの表示を選択させるための並び替えキーを表示し、当該並び替えキーが押圧された際には、前記入力表示装置において前記通常の数字入力配置表示とは異なるパターンの数字入力配置表示を行うようにした。【選択図】図３
2006277334.tif 000002
【特許請求の範囲】
【請求項１】
タッチパネル方式の入力表示装置を備えた現金自動取引機であって、
暗証番号の入力表示画面において、利用者に対して通常の数字入力配置表示とは異なるパターンの表示を任意に選択させるための並び替えキーを表示し、当該並び替えキーが押圧された際には、前記入力表示装置において前記通常の数字入力配置表示とは異なるパターンの数字入力配置表示を行うようにしたことを特徴とする現金自動取引装置。
【請求項２】
タッチパネル方式の入力表示手段と、
前記入力表示装置において、取引者による各種金融取引のための操作を誘導又は案内する画面表示を行うための種々の画面表示データを格納する記憶手段と、
前記入力表示手段において表示された各入力キーのそれぞれに所定の機能又はデータを割り当てると共に、利用者による前記入力キーの操作に応じて前記記憶手段内に格納された前記画面表示データを読み出して前記入力表示手段に送信する制御手段と、を備え、
前記制御手段は、前記入力表示装置における暗証番号の入力表示画面において通常の数字入力配置表示とは異なるパターンの表示を取引者が選択できる並び替えキーを表示し、当該並び替えキーが押圧された時には前記入力表示装置において通常の数字入力配置表示とは異なるパターンの数字入力配置表示を行うようにしたことを特徴とする現金自動取引装置。
【請求項３】
前記現金自動取引装置は、利用者による前記入力表示装置の入力操作に従って暗証番号の変更登録を受け付ける際に、変更後の暗証番号を入力するための表示画面において前記並び替えキーを表示し、当該並び替えキーが押圧された時には前記入力表示装置において通常の数字入力配置表示とは異なるパターンの数字入力配置表示を行うようにしたことを特徴とする請求項１又は２に記載された現金自動取引装置。
【請求項４】
前記並び替えキーが押圧されなかった場合には、前記入力表示装置において通常の数字入力配置表示を行うことを特徴とする請求項１乃至３の何れかの項に記載された現金自動取引装置。
【請求項５】
前記異なるパターンの数字入力配置表示は、数字キーの配列が所定の規則性を持つ複数種類のパターンの中から選択された一つを表示することを特徴とする請求項１乃至３の何れかの項に記載された現金自動取引装置。
【請求項６】
前記複数種類のパターンの中からの一つの選択は、当該現金自動取引装置の取引時刻又は前記並び替えキーが押圧された時刻における分又は秒の下１桁の数字に基づいて行われることを特徴とする請求項５に記載の現金自動取引装置。
【請求項７】
前記複数種類のパターンの中からの一つの選択は、当該現金自動取引装置の取引時刻又は前記並び替えキーが押圧された時刻における分又は秒の下１桁の数字を変数とする所定の関数の演算結果に基づいて行われることを特徴とする請求項５に記載の現金自動取引装置。
【請求項８】
タッチパネル方式の入力表示手段と、前記入力表示装置において、取引者による各種金融取引のための操作を誘導又は案内する画面表示を行うための種々の画面表示データを格納する記憶手段と、前記入力表示手段において表示された各入力キーのそれぞれに所定の機能又はデータを割り当てると共に、利用者による前記入力キーの操作に応じて前記記憶手段内に格納された前記画面表示データを読み出して前記入力表示手段に送信する制御手段と、を備えた現金自動取引装置を制御するためのプログラムであって、
前記入力表示装置における暗証番号の入力表示画面において通常の数字入力配置表示とは異なるパターンの表示を取引者が選択できる並び替えキーを表示するステップと、
当該並び替えキーが押圧された時には前記入力表示装置において通常の数字入力配置表示とは異なるパターンの数字入力配置表示を行うステップと、
前記並び替えキーが押圧されなかった場合には、前記入力表示装置において通常の数字入力配置表示を行うステップと、
の各ステップを実行するプログラム。
【請求項９】
前記異なるパターンの数字入力配置表示は、数字キーの配列が所定の規則性を持つ複数種類のパターンの中から選択された一つを表示することを特徴とする請求項８に記載されたプログラム。
【請求項１０】
前記複数種類のパターンの中からの一つの選択は、当該現金自動取引装置の取引時刻又は前記並び替えキーが押圧された時刻における分又は秒の下１桁の数字に基づいて行われることを特徴とする請求項９に記載されたプログラム。
【請求項１１】
前記複数種類のパターンの中からの一つの選択は、当該現金自動取引装置の取引時刻又は前記並び替えキーが押圧された時刻における分又は秒の下１桁の数字を変数とする所定の関数の演算結果に基づいて行われることを特徴とする請求項８に記載のプログラム。
【発明の詳細な説明】
【技術分野】
【０００１】
本発明は、銀行等の金融機関と取引関係にある利用者（取引者）が、暗証番号を入力して現金の引き出しや振り込み等の各種金融取引を行う現金自動取引装置（以下、適宜「ＡＴＭ」という）に関し、特に、ＡＴＭの操作の際に利用者が入力した暗証番号が、周囲の第三者に察知又は盗み見られないようにしたＡＴＭに関する。
【背景技術】
【０００２】
ＡＴＭの操作によって各種金融取引が行われ際には、キャッシュカード（銀行カード）をＡＴＭのキャッシュカード挿入口に挿入し、キャッシュカードの磁気ストライプ等の記憶手段に書き込まれた口座番号等のデータを読み取ると共に、通常０乃至９の４桁の数字からなる暗証番号の入力を受け付ける。ＡＴＭは、口座番号等の利用者を特定するためデータと共に入力された暗証番号を、専用通信回線を介して当該金融機関の勘定系システム側に送信し、当該勘定系システムにおけるデータベース内に記憶されている暗証番号とＡＴＭから送信されてきた暗証番号とが一致することを条件に、利用者が要求する金融取引処理を開始する。
【０００３】
従って、キャッシュカードを紛失したり又はスキミング等の処理により偽造されても、暗証番号さえ知られていなければ、当該利用者以外の悪意の第三者による現金の引き出し等は防止できる。
【０００４】
しかし、ＡＴＭの数字入力キーは、多くの場合固定されていることから、利用者が暗証番号を入力している際に、当該利用者の周囲にいる第三者にも暗証番号の入力操作時における当該利用者による入力キーの押圧する指の動きによって、暗証番号が察知されてしまうことがある。従って、もしも、このようにして悪意の第三者が他人の暗証番号を察知して、当該利用者のキャッシュカードを盗んだり偽造した場合には、現金引き出し等の不正行為が行われてしまうこととなる。
【０００５】
このため、従来のＡＴＭにおいても、利用者の暗証番号の入力の際にはタッチパネルにおけるキースイッチの割り付けを、通常のキースイッチの配列に変えてランダムに変更したり（例えば、特許文献１を参照）、タッチパネルテンキーにおけるテンキーの表示位置を乱数に基づいて変えることにより（例えば、特許文献２を参照）、周囲の第三者によって暗証番号が察知されないようにすることが提案され一部において実施されていた。
【０００６】
また、タッチパネルに表示される暗証番号の数字入力画面を規則性のある数字キー配列にするようにした金融自動機も提案されている（例えば、特許文献３参照）。
【特許文献１】特開昭６０−２２５２７７号公報
【特許文献２】特開平０９−５４８６２号公報
【特許文献３】特開平１０−１０５７８１号公報
【発明の開示】
【発明が解決しようとする課題】
【０００７】
しかし、上記した特許文献１及び特許文献２に記載された発明においては何れも、暗証番号の入力画面においては、一律に数字キーの表示配置をランダムに変更するものであって、利用者は、自己の４桁の暗証番号を入力する際に１桁毎に入力キーを探し出しながら入力しなければならないことから煩雑であり、通常のキー配列における暗証番号の入力操作と比較して長い時間が掛かってしまうこととなる。
【０００８】
また、特許文献３に記載されているように、暗証番号を入力する際の数字キーの表示配列に何らかの規則性を持たせたとしても、数字キーの表示配置を通常の配列パターンとは異なるパターンに一律に変更してしまうことは、利用者により正確な暗証番号の入力操作の妨げとなって暗証番号の誤入力の頻度を助長すると共に、ＡＴＭの操作時間を多少なりとも長くなることから、必ずしも望ましいことではない。つまり、ＡＴＭの周囲に他人が居なかったり、利用者の指の動きにより第三者に暗証番号が察知される危険性が全くないような場合は、通常の数字キーの配列パターンによる暗証番号の入力の方が望ましく、これによって利用者のＡＴＭによる金融取引の取引時間を短くすることができるのである。
【０００９】
このため、本発明は、利用者による暗証番号の入力の際に周囲の第三者による利用者の入力キーの押圧動作に基づいて察知されない機能を備えつつ、ＡＴＭの周囲に他人が居なかったり、第三者に暗証番号が察知される危険性が全くない場合は、通常の数字キーの配列パターンによる暗証番号の入力によって暗証番号の誤入力の可能性を低く維持しつつ、利用者のＡＴＭによる金融取引の取引時間を短くすることが可能なＡＴＭを提供することを目的とする。
【課題を解決するための手段】
【００１０】
このため、本願発明は、タッチパネル方式の入力表示装置を備えた現金自動取引機であって、暗証番号の入力表示画面において、利用者に対して通常の数字入力配置表示とは異なるパターンの表示を選択させるための並び替えキーを表示し、当該並び替えキーが押圧された際には、前記入力表示装置において前記通常の数字入力配置表示とは異なるパターンの数字入力配置表示を行うようにしたことを特徴とする現金自動取引装置を提供するものである。
【００１１】
本願発明は、また、タッチパネル方式の入力表示手段と、前記入力表示装置において、取引者による各種金融取引のための操作を誘導又は案内する画面表示を行うための種々の画面表示データを格納する記憶手段と、前記入力表示手段において表示された各入力キーのそれぞれに所定の機能又はデータを割り当てると共に、利用者による前記入力キーの操作に応じて前記記憶手段内に格納された前記画面表示データを読み出して前記入力表示手段に送信する制御手段と、を備え、前記制御手段は、前記入力表示装置における暗証番号の入力表示画面において通常の数字入力配置表示とは異なるパターンの表示を取引者が選択できる並び替えキーを表示し、当該並び替えキーが押圧された時には前記入力表示装置において通常の数字入力配置表示とは異なるパターンの数字入力配置表示を行うようにしたことを特徴とする現金自動取引装置を提供するものである。そして、前記並び替えキーが押圧されなかった場合には、前記入力表示装置において通常の数字入力配置表示を行うようにしたのである。
【００１２】
ここで、「通常の数字入力配置表示」とは、従来から当該ＡＴＭの入力表示装置（タッチパネル）において表示されてきている数字入力配置表示を意味し、上記並び替えキーが押圧された時には、この従来から行われてきている通常の数字入力配置表示とは異なるパターンの数字入力配置表示を行うことを意味する。
【００１３】
また、本ＡＴＭが、前記並び替えキーが押圧されなかったことの判断は、例えば、前記並び替えキーが押圧されることなく数字キーが押圧されたことによって行われる。
【００１４】
これにより、本願発明に係るＡＴＭにおいては、暗証番号を入力される際にタッチパネルに表示される数字キー配列を、通常の数字キー配列のものとするか、それとは異なる数字キー配列のものとするかを、実際に当該ＡＴＭを操作する利用者に委ねることができるので、当該利用者が、周囲の第三者による利用者の入力キーの押圧動作に基づいて察知される危険性を感じた場合には、通常の数字キー配列と異なる数字キー配列によって、他人に自己の暗証番号を知られる危険性を少なくし、第三者に暗証番号が察知される危険性が全くないと判断した場合には、通常の数字キーの配列パターンによる暗証番号の入力によって暗証番号の誤入力の可能性を低くしつつ、利用者のＡＴＭによる金融取引の取引時間を短くすることを可能にしたのである。
【００１５】
ここで、本発明の現金自動取引装置は、利用者による前記入力表示装置の入力操作に従って暗証番号の変更登録を受け付ける際にも、変更後の暗証番号を入力するための表示画面において前記並び替えキーを表示し、当該並び替えキーが押圧された時には前記入力表示装置において通常の数字入力配置表示とは異なるパターンの数字入力配置表示を行うようにしたのである。これによって、現金の引き出し等の実際の金融取引時だけではなく、ＡＴＭにおける暗証番号の変更登録の際における変更後の暗証番号を入力するための表示画面においても前記並び替えキーを表示するようにして、本願発明の上記作用効果を発揮し得るようにしたのである。
【００１６】
ここで、本ＡＴＭにおいては、利用者が暗証番号の入力の際の数字キーの並び替えを選択した場合には、暗証番号の誤入力の可能性と入力操作時間をなるべく少なくするために、前記異なるパターンの数字入力配置表示は、数字キーの配列が所定の規則性を持つ複数種類のパターンの中から選択された一つを表示するようにしたのである。
【００１７】
そして、前記複数種類のパターンの中からの一つの選択は、当該現金自動取引装置の取引時刻又は前記並び替えキーが押圧された時の時刻における分又は秒の下１桁の数字に基づいて行われるのである。これによって、例えば１０種類の数字キー配列パターンが用意されている場合には、当該ＡＴＭ内に供えられた時計手段における当該時刻の分又は秒の下１桁の数字に１対１に対応する数字キー配列パターンを表示するので、予め用意された１０種類のパターンの中からの一つの選択が容易に行うことができるのである。従って、本ＡＴＭにおいては、数字キー配列の並び替え処理において、乱数表等を用いた制御処理等を行う必要はない。
【００１８】
また、本ＡＴＭにおいては、前記複数種類のパターンの中からの一つの選択を、当該現金自動取引装置の取引時刻又は前記並び替えキーが押圧された時刻における分又は秒の下１桁の数字を変数とする所定の関数の演算結果に基づいて行うようにしてもよい。この所定の関数とは、例えば、ある１０進数を他の１０進数に変換する関数であって、これにより、本ＡＴＭが時刻によって数字キーの配列の並び替えが行われることが知られた場合であっても、周囲の第三者が利用者の指の動きに基づいて如何なる数字キー配列が選択されたのかを察知されることを防止したのである。
【００１９】
本願発明は、さらに、タッチパネル方式の入力表示手段と、前記入力表示装置において、取引者による各種金融取引のための操作を誘導又は案内する画面表示を行うための種々の画面表示データを格納する記憶手段と、前記入力表示手段において表示された各入力キーのそれぞれに所定の機能又はデータを割り当てると共に、利用者による前記入力キーの操作に応じて前記記憶手段内に格納された前記画面表示データを読み出して前記入力表示手段に送信する制御手段と、を備えた現金自動取引装置を制御するためのプログラムであって、前記入力表示装置における暗証番号の入力表示画面において通常の数字入力配置表示とは異なるパターンの表示を取引者が選択できる並び替えキーを表示するステップと、当該並び替えキーが押圧された時には前記入力表示装置において通常の数字入力配置表示とは異なるパターンの数字入力配置表示を行うステップと、前記並び替えキーが押圧されなかった場合には、前記入力表示装置において通常の数字入力配置表示を行うステップと、の各ステップを実行するプログラムを提供するものである。
【発明の効果】
【００２０】
このように、本発明に係るＡＴＭにおいては、暗証番号の入力表示画面において、利用者に対して通常の数字入力配置表示とは異なるパターンの表示を選択させるための並び替えキーを表示し、当該並び替えキーが押圧された際には、前記入力表示装置において前記通常の数字入力配置表示とは異なるパターンの数字入力配置表示を行うようにしたので、利用者が、特に周囲の第三者による利用者の入力キーの押圧動作に基づいて察知される危険性を感じた場合などには、通常の数字キー配列と異なる数字キー配列によって、他人に自己の暗証番号を知られる危険性を少なくする。そして、利用者が、第三者に暗証番号が察知される危険性が全くないと判断した場合や、敢えて数字キー配列を変更する必要がない場合には、通常の数字キーの配列パターンによる暗証番号の入力によって暗証番号の誤入力の可能性を低くしつつ、利用者のＡＴＭによる金融取引の取引時間を短くすることを実現したのである。
【発明を実施するための最良の形態】
【００２１】
以下、本発明に係るＡＴＭの詳細を図面の記載に基づいて説明する。
【００２２】
図１は、本発明が適用可能なタッチパネル方式の入力表示装置を備えたＡＴＭの一般的な外観の例を示すものである。
【００２３】
図１に示すように、本ＡＴＭ１０には、利用者がＡＴＭを使用して金融取引を行うために必要な操作対象の装置として、キャッシュカード挿入口１１、通帳挿入口１２、紙幣入出口１３、硬貨入出口１４及び入力表示装置（以下、適宜「タッチパネル」という）１５が設けられている。ここで、本ＡＴＭが取り扱う利用者特定用のカードが、従来から広く利用されている磁気ストライプ方式のキャッシュカードではなく非接触型ＩＣカードの場合は、キャッシュカード挿入口１１の設置箇所にＩＣカード読取／書込装置が設けられることとなる。
【００２４】
タッチパネル１５は、液晶パネルやプラズマパネル等の表示装置の画面表面上に透明な入力検知シートが直接貼付されたものであって、この入力検知シートは、当該シートのＸＹ軸の平面座標上での利用者の指の押圧位置が検出できるように構成されている。そして、表示画面上の任意の位置に、ある数字キーの配列パターンを表示した場合、入力検知シートの押圧位置を検知することにより、何れの数字キーが押圧されたのか検知できるようになっている。従って、タッチパネル１５は、固定式のキーボードとは異なり、個々のキースイッチを表示画面上の如何なる位置にも配置することが可能であってこのように配置された何れのキースイッチが押圧されたのかが検知できるようになっているのである。
【００２５】
ところで、利用者が所持するキャッシュカードには、少なくとも当該利用者を特定するためのＩＤコードが記録されており、ＡＴＭ１０は、キャッシュカードの読み取りによって、利用者を特定することとなる。
【００２６】
そして、利用者は、タッチパネル１５に表示されている画面表示に従って希望する金融取引を行うが、ＡＴＭ１０は、通常、単なる残高照会などを除いて金融取引の実行の前には必ず暗証番号の入力を要求する。暗証番号は、通常４桁の数字により構成されている。この暗証番号は、キャッシュカードには記録されておらず、当該金融機関の勘定系システムに記録されている。従って、ＡＴＭ１０は、暗証番号が入力されると、当該利用者のＩＤコード及び／又は口座番号等と共に入力された暗証番号を勘定系システムに送信して、その対応関係を検証した上で金融取引を認めるのである。
【００２７】
図２は、本発明に係るＡＴＭの構成を示すブロック図を示す。
【００２８】
図２に示すように、ＡＴＭ１０は、制御装置２０を中心に、入出力装置（タッチパネル）１５、記憶装置２１、キャッシュカード読取装置２２、通帳取扱装置（印字プリンタを含む）２３、紙幣取扱装置２４、硬貨取扱装置２５、紙幣収納部２６、硬貨収納部２７、通信制御装置２８及び時計手段２９を内蔵している。そして、制御装置２０は、記憶装置２１に格納されている制御プログラムや各種データに基づいて、これらの各種装置を統一的に制御する。
【００２９】
記憶装置２１には、プログラムや固定データを記憶するＲＯＭ（図示せず）と、変動データを記憶するＲＡＭ（図示せず）とから構成される。また、必要に応じてハードディスクを備える。そして、タッチパネル１５で表示される各種画面表示データは、記憶装置２１に記憶されており、制御装置２０は、利用者のタッチパネル１５における入力操作に応じて、記憶装置２１から必要な画面表示データを読み出してタッチパネル１５の表示パネルに表示する。
【００３０】
通信制御手段２８は、制御装置２０の制御のもと、先に説明したように、利用者のＩＤコード及び／又は口座番号等とタッチパネル１５に入力された暗証番号を当該利用者が口座を有する勘定系システムに送信し、ＡＴＭ１０と当該勘定系システム間において現金の引き出しや振り込み等の金融取引の各種データを送受信する通信制御を行うものである。
【００３１】
また、時計手段２９が表示する時刻データは、暗証番号の入力の際に利用者が通常の数字キー配列とは異なる配列を選択した場合に利用される。これについては、図４の説明箇所において詳しく記載する。
【００３２】
図３は、本発明に係るＡＴＭの入力表示装置において表示される暗証番号入力画面の例を示す。
【００３３】
先に説明したように、利用者がＡＴＭ１０を使って金融取引を行う時、利用者は、必ず当該利用者が予め金融機関に登録した暗証番号を入力する必要がある。これによって、キャッシュカードを紛失したり又はスキミング等の処理によりキャッシュカードが偽造されても、暗証番号さえ知られていなければ、当該利用者以外の悪意の第三者による現金の引き出し等は防止できる。
【００３４】
しかし、ＡＴＭ１０の数字入力キーが固定されていると、当該利用者の周囲にいる第三者は、利用者が暗証番号を入力する指の動きによって、暗証番号が察知されてしまう。そこで、従来から、ＡＴＭ１０のタッチパネル１６上に表示される数字キーの配列を通常の配列とは異なる配置に変更して表示しようとする提案が行われてきたのであるが、数字キーの表示配置を通常の配列パターンとは異なるパターンに一律に変更してしまうことは、利用者により正確な暗証番号の入力操作の妨げとなって暗証番号の誤入力の頻度を助長すると共に、ＡＴＭ１０の操作時間を多少なりとも長くなることから、必ずしも望ましいことではなかった。
【００３５】
このため、本発明に係るＡＴＭ１０においては、暗証番号の入力時における数字キー配列を通常のものとするか、変更されたものにするかの判断を、実際にＡＴＭ１０を操作する利用者に委ねる構成としたのである。
【００３６】
すなわち、ＡＴＭ１０の周囲に他人が居なかったり、第三者に暗証番号が察知される危険性が全くないような場合は、通常の数字キーの配列パターンによる暗証番号の入力を行い、利用者自身その危険性を感じたような場合は、前記通常の数字入力配置表示とは異なるパターンの数字入力配置表示が行われるよう、暗証番号の入力表示画面において、「並び替え」キー３０を表示したのである。
【００３７】
ここで、「通常の数字入力配置表示」とは、従来から当該ＡＴＭの入力表示装置（タッチパネル）において表示されてきている数字入力配置表示を意味し、上記並び替えキーが押圧された時には、この従来から行われてきている通常の数字入力配置表示とは異なるパターンの数字入力配置表示を行うことを意味する。
【００３８】
図３において、利用者が、通常の数字キーの配列パターンによる暗証番号の入力を行っても問題ないと判断した場合には、「並び替え」キー３０を押圧せずに、当該画面に表示された通常の数字キー配列パターンによる暗証番号の入力を行うのである。従って、図３において、本ＡＴＭ１０は、「並び替え」キー３０が押圧されることなく暗証番号数字キーが押圧されたことによって、本ＡＴＭ１０が備える「並び替え機能」が選択されなかったことを判断する。
【００３９】
尚、図３に示すように、本発明の実施例においては、通常の数字キーの配列パターンを変更する場合のキー名称として「並び替えキー」としたが、当然のことながら、「変更キー」、「配列替えキー」、「安心キー」等の別のキー名称を付与し表示するようにしてもよい。
【００４０】
図４は、利用者により並び替えキーが押圧された場合に、本発明に係るＡＴＭの入力表示装置において表示される数字キー配列のパターンを示すものである。
【００４１】
図４は、通常の数字キー配列（パターン１）と通常の数字キー配列とは異なる配列（パターン２乃至１０）の例を示すものであるが、本ＡＴＭ１０の入力表示装置１５において表示される並び替えパターンは、これに限定されるものではないことは言うまでもない。
【００４２】
図４に示したパターン２乃至１０は、何らかの規則性を持たせた配置とすることにより、周辺の第三者による暗証番号の察知を防止しつつ、利用者が少しでも短時間に希望する数字キーを探し出すことができるようにしている。
【００４３】
そして、本発明においては、図４に示した１０種類のパターンの選択は、図２に示した時計手段２９が示す分又は秒の下１桁の数字に対応するようにしたのである。ここで、時計手段２９が示す分又は秒は、例えば、当該ＡＴＭの取引処理開始時刻又は前記並び替えキー３０が押圧された時刻とするのである。
【００４４】
また、本ＡＴＭにおいては、前記複数種類のパターンの中からの一つの選択を、当該現金自動取引装置の取引時刻又は前記並び替えキーが押圧された時刻における分又は秒の下１桁の数字を変数とする所定の関数の演算結果に基づいて行うようにしてもよい。この所定の関数とは、例えば、ある１０進数を他の１０進数に変換する関数であって、これにより、本ＡＴＭが時刻によって数字キーの配列の並び替えが行われることが知られた場合であっても、周囲の第三者が利用者の指の動きに基づいて如何なる数字キー配列が選択されたのかを察知されることを防止したのである。
【００４５】
図５は、本発明に係るＡＴＭにおいて、暗証番号の変更登録を行う際に表示される、現暗証番号の入力画面と変更後の暗証番号を入力する際に表示される入力画面の例を示す。
【００４６】
利用者の暗証番号は、本ＡＴＭ１０の操作によってその番号を変更することができる。この場合、本ＡＴＭ１０は、暗証番号変更モードの画面において、図５（ａ）に示されたように通常の数字キー配列画面において現在の暗証番号を入力する。しかし、この現在の暗証番号の入力においても、「並び替え」キー３０を押圧することにより、数字キー配列を変更することも可能である。そして、変更後の暗証番号を入力する際には、図５（ｂ）に示すように、図３に示した暗証番号入力画面と同様に、「並び替え」キー３０が表示され、この「並び替え」キー３０が利用者によって押圧された場合には、図４に示した通常とは異なる配置の数字キー配列が表示されるのである。そして、図５（ｃ）に示す暗証番号変更の確認画面において、変更後の暗証番号を再度押圧することによって、暗証番号の変更を完了するのである。
【００４７】
以上詳しく説明したように、本発明に係るＡＴＭ１０においては、暗証番号を入力される際にタッチパネルに表示される数字キー配列を、通常の数字キー配列のものとするか、それとは異なる数字キー配列のものとするかを、実際に当該ＡＴＭを操作する利用者に委ねることができるので、当該利用者が、周囲の第三者による利用者の入力キーの押圧動作に基づいて察知される危険性を感じた場合には、通常の数字キー配列と異なる数字キー配列によって、他人に自己の暗証番号を知られる危険性を少なくし、第三者に暗証番号が察知される危険性が全くないと判断した場合には、通常の数字キーの配列パターンによる暗証番号の入力によって暗証番号の誤入力の可能性を低くしつつ、利用者のＡＴＭによる金融取引の取引時間を短くすることを可能にしたのである。
【００４８】
本発明の副次的効果として、本ＡＴＭ１０における暗証番号入力画面に、上記の「並び替え」キー３０を表示したことにより、例え、利用者がこの「並び替え」キー３０を利用せずに通常の数字キー配列で自己の暗証番号を入力した場合であっても、暗証番号入力画面に当該「並び替え」キー３０が用意されているだけで、本発明は、悪意の第三者に対して他人の暗証番号を盗み見ようとすることを断念させる、いわゆる伝家の宝刀的効果を生じさせる点も見逃すことはできない。
【産業上の利用可能性】
【００４９】
本発明は、銀行等の金融機関と取引関係にある利用者が、暗証番号を入力して現金の引き出しや振り込み等の各種金融取引を行う現金自動取引装置（ＡＴＭ）において、ＡＴＭの操作の際に利用者が入力した暗証番号が、周囲の第三者に察知又は盗み見られないようにした現金自動取引装置に関するものであって、産業上の利用可能性を有するものである。
【図面の簡単な説明】
【００５０】
【図１】本願発明が適用可能なタッチパネル方式の入力表示装置を備えた一般的なＡＴＭの外観を示す。
【図２】本発明に係るＡＴＭの構成を示すブロック図を示す。
【図３】本発明に係るＡＴＭの入力表示装置において表示される暗証番号入力画面の例を示す。
【図４】利用者により並び替えキーが押圧された場合に、本発明に係るＡＴＭの入力表示装置において表示される数字キー配列のパターンを示す。
【図５】本発明に係るＡＴＭにおいて、暗証番号の変更登録を行う際に表示される、現暗証番号の入力画面と変更後の暗証番号を入力する際に表示される入力画面の例を示す。
【符号の説明】
【００５１】
１０：ＡＴＭ（現金自動取引装置）
１１：キャッシュカード挿入口
１２：通帳挿入口
１３：紙幣入出口
１４：硬貨入出口
１５：入力表示装置（タッチパネル）
２０：制御装置
２１：記憶装置
２２：キャッシュカード読取装置
２３：通帳取扱装置（印字装置）
２４：紙幣取扱装置
２５：硬貨取扱装置
２６：紙幣収納部
２７：硬貨収納部
２８：通信制御装置
【図１】
2006277334.tif 000003
【図２】
2006277334.tif 000004
【図３】
2006277334.tif 000005
【図４】
2006277334.tif 000006
【図５】
2006277334.tif 000007